(57)【特許請求の範囲】
【請求項１】
複数枚のコアピース(2)が転積によって積層され、複数の突出磁極(4)を有する輪状ステータコア(1)と、前記輪状ステータコア(1)の所定角度間隔毎に形成された複数の取付用孔体(8)と、前記取付用孔体(8)に形成され互いに連通する３個の第１，第２，第３孔(9a,9b,9c)と、前記輪状ステータコア(1)の各端面(1a,1b)に別体又は一体に設けられると共に前記各突出磁極(4)を覆うための輪状絶縁カバー(11)と、前記輪状絶縁カバー(11)の半径方向(A)に沿って一体に延設された端子ピンコネクタ部(12A)と、前記輪状絶縁カバー(11)の前記半径方向(A)に沿って一体に形成された１個のアーム(21)と、前記アーム(21)に設けられた突起部(22)と、を備え、
前記取付用孔体(8)を案内として、前記各コアピース(2)を転積済の前記輪状ステータコア(1)が形成され、前記取付用孔体(8)の前記各孔(9a,9b,9c)の中央の１個の第２孔(9b)を用いてボルト(10)により前記輪状ステータコア(1)を相手方に固定でき、前記ボルト(10)を通すための前記第２孔(9b)の隣りの第３孔(9c)に前記突起部(22)が孔塞ぎ用として位置している構成としたことを特徴とするレゾルバステータのボルト取付け間違い防止構造。
【請求項２】
前記第３孔(9c)内に位置する前記突起部(22)は、前記輪状絶縁カバー(11)及びアーム(21)の樹脂成形時に同時成形されている構成よりなることを特徴とする請求項１記載のレゾルバステータのボルト取付け間違い防止構造。
【請求項３】
前記端子ピンコネクタ部(12A)には、外部からのメス型コネクタ部(14)が着脱自在に構成されていることを特徴とする請求項１又は２記載のレゾルバステータのボルト取付け間違い防止構造。
【請求項４】
前記各突出磁極(4)は前記輪状ステータコア(1)の内周(3)又は外周(3A)に設けられ、前記取付用孔体(8)は前記輪状ステータコア(1)の外周縁側(7)又は内周縁側(7A)に設けられ、前記アーム(21)は前記輪状ステータコア(1)の内周縁側(7A)から外周縁側(7)へ向けて、又は、外周縁側(7)から内周縁側(7A)へ向けて延設されていることを特徴とする請求項１ないし３の何れかに記載のレゾルバステータのボルト取付け間違い防止構造。
【請求項５】
複数枚のコアピース(2)が転積によって積層され、複数の突出磁極(4)を有する輪状ステータコア(1)と、前記輪状ステータコア(1)の所定角度間隔毎に形成された複数の取付用孔体(8)と、前記取付用孔体(8)に形成され互いに連通する３個の第１，第２，第３孔(9a,9b,9c)と、前記輪状ステータコア(1)の各端面(1a,1b)に別体又は一体に設けられると共に前記各突出磁極(4)を覆うための輪状絶縁カバー(11)と、前記輪状絶縁カバー(11)の半径方向(A)に沿って一体に延設された端子ピンコネクタ部(12A)と、前記輪状絶縁カバー(11)の前記半径方向(A)に沿って一体に形成された１個のアーム(21)と、前記アーム(21)に設けられた突起部(22)と、を用い、
前記取付用孔体(8)を案内として、前記各コアピース(2)を転積済の前記輪状ステータコア(1)が形成され、前記取付用孔体(8)の前記各孔(9a,9b,9c)の中央の１個の第２孔(9b)を用いてボルト(10)により前記輪状ステータコア(1)を相手方に固定でき、前記ボルト(10)を通すための前記第２孔(9b)の隣りの第３孔(9c)に前記突起部(22)を孔塞ぎ用として位置させたことを特徴とするレゾルバステータのボルト取付け間違い防止方法。
【請求項６】
前記第３孔(9c)内に位置する前記突起部(22)は、前記輪状絶縁カバー(11)及びアーム(21)の樹脂成形時に同時成形されていることを特徴とする請求項５記載のレゾルバステータのボルト取付け間違い防止方法。
【請求項７】
前記端子ピンコネクタ部(12A)には、外部からのメス型コネクタ部(14)が着脱自在に設けられることを特徴とする請求項５又は６記載のレゾルバステータのボルト取付け間違い防止方法。
【請求項８】
前記各突出磁極(4)は前記輪状ステータコア(1)の内周(3)又は外周(3A)に設けられ、前記取付用孔体(8)は前記輪状ステータコア(1)の外周縁側(7)又は内周縁側(7A)に設けられ、前記アーム(21)は前記輪状ステータコア(1)の内周縁側(7A)から外周縁側(7)へ向けて、又は、外周縁側(7)から内周縁側(7A)へ向けて延設されていることを特徴とする請求項５ないし７の何れかに記載のレゾルバステータのボルト取付け間違い防止方法。
【発明の詳細な説明】
【技術分野】
【０００１】
本発明は、レゾルバステータのボルト取付け間違い防止構造及び方法に関し、特に、転積後の輪状ステータコアを相手方にボルトで取付ける時、転積時に用いた取付用孔体の各孔のうち、間違って他の孔にボルトを間違って挿入することのないようにするための新規な改良に関する。
【背景技術】
【０００２】
従来、用いられていたこの種の角度センサとしては、例えば、特許文献１に開示されている構成を挙げることはできるが、この構成においては、図示していないが、モータと角度センサを合体させたもので、角度センサ側の防水用として、ゴム等のパッキンを用いている。
【先行技術文献】
【特許文献】
【０００３】
【特許文献１】特開２０１３−８３５０２号公報
【発明の概要】
【発明が解決しようとする課題】
【０００４】
従来の角度センサは、以上のように構成されていたため、次のような課題が存在していた。
前述の従来構成においては、角度センサがレゾルバでなく、エンコーダであるため、エンコーダからモータ側への防水用としてパッキンが用いられているのみであるが、図示していない積層型の輪状ステータを用いた場合には、次のような課題が存在していた。
すなわち、複数のコアピースを積層させて輪状ステータコアを製作する場合、各コアピースに形成されている、例えば、３個の孔を用いて転積させ、転積後の輪状ステータコアを装置等の相手側に取付ける時には、転積時に転積治具の案内として用いた複数のうちの１個にボルトを挿入して前記相手方へボルトを螺入することによって、輪状ステータコアを相手方へ固定していた。
前記各孔のうちの１個が前記ボルトを挿入するための孔に予め決められているが、製造ライン上では、ボルトを入れるべき孔の位置を間違えてボルトを挿入したままで、うっかり、次の作業者に送ることがあり、この場合には、送られた方の作業者がボルトの誤挿入に気付き、輪状ステータコアを前工程の作業者に差し戻して作業をやり直すことになって、生産性向上の大きい障害となっていた。
【０００５】
本発明は、以上のような課題を解決するためになされたもので、特に、転積後の輪状ステータコアを相手方にボルトで取付ける時、転積時に用いた各孔のうち、間違って他の孔にボルトを挿入することのないように、ボルトを挿入しない孔を樹脂で塞ぐようにしたレゾルバステータのボルト取付け間違い防止構造及び方法を提供することを目的とする。
【課題を解決するための手段】
【０００６】
本発明によるレゾルバステータのボルト取付け間違い防止構造は、複数枚のコアピースが転積によって積層され、複数の突出磁極を有する輪状ステータコアと、前記輪状ステータコアの所定角度間隔毎に形成された複数の取付用孔体と、前記取付用孔体に形成され互いに連通する３個の第１，第２，第３孔と、前記輪状ステータコアの各端面に別体又は一体に設けられると共に前記各突出磁極を覆うための輪状絶縁カバーと、前記輪状絶縁カバーの半径方向に沿って一体に延設された端子ピンコネクタ部と、前記輪状絶縁カバーの前記半径方向に沿って一体に形成された１個のアームと、前記アームに設けられた突起部と、を備え、前記取付用孔体を案内として、前記各コアピースを転積済の前記輪状ステータコアが形成され、前記取付用孔体の前記各孔の中央の１個の第２孔を用いてボルトにより前記輪状ステータコアを相手方に固定でき、前記ボルトを通すための前記第２孔の隣りの第３孔に前記突起部が孔塞ぎ用として位置しているようにした構成であり、また、前記孔内に位置する前記突起部は、前記輪状絶縁カバー及びアームの樹脂成形時に同時成形されている構成であり、また、前記端子ピンコネクタ部には、外部からのメス型コネクタ部が着脱自在とした構成であり、また、前記各突出磁極は前記輪状ステータコアの内周又は外周に設けられ、前記取付用孔体は前記輪状ステータコアの外周縁側又は内周縁側に設けられ、前記アームは前記輪状ステータコアの内周縁側から外周縁側へ向けて、又は、外周縁側から内周縁側へ向けて延設されている構成であり、また、本発明によるレゾルバステータのボルト取付け間違い防止構方法は、複数枚のコアピースが転積によって積層され、複数の突出磁極を有する輪状ステータコアと、前記輪状ステータコアの所定角度間隔毎に形成された複数の取付用孔体と、前記取付用孔体に形成され互いに連通する３個の第１，第２，第３孔と、前記輪状ステータコアの各端面に別体又は一体に設けられると共に前記各突出磁極を覆うための輪状絶縁カバーと、前記輪状絶縁カバーの半径方向に沿って一体に延設された端子ピンコネクタ部と、前記輪状絶縁カバーの前記半径方向に沿って一体に形成された１個のアームと、前記アームに設けられた突起部と、を用い、前記取付用孔体を案内として、前記各コアピースを転積済の前記輪状ステータコアが形成され、前記取付用孔体の前記各孔の中央の１個の第２孔を用いてボルトにより前記輪状ステータコアを相手方に固定でき、前記ボルトを通すための前記孔の隣りの孔に前記突起部を孔塞ぎ用として位置させた方法であり、また、前記第３孔内に位置する前記突起部は、前記輪状絶縁カバー及びアームの樹脂成形時に同時成形されている方法であり、また、前記端子ピンコネクタ部には、外部からのメス型コネクタ部が着脱自在に設けられる方法であり、また、前記各突出磁極は前記輪状ステータコアの内周又は外周に設けられ、前記取付用孔体は前記輪状ステータコアの外周縁側又は内周縁側に設けられ、前記アームは前記輪状ステータコアの内周縁側から外周縁側へ向けて、又は、外周縁側から内周縁側へ向けて延設されている方法である。
【発明の効果】
【０００７】
本発明によるレゾルバステータのボルト取付け間違い防止構造及び方法は、以上のように構成されていたため、次のような効果を得ることができる。
すなわち、複数枚のコアピースが転積によって積層され、複数の突出磁極を有する輪状ステータコアと、前記輪状ステータコアの所定角度間隔毎に形成された複数の取付用孔体と、前記取付用孔体に形成され互いに連通する３個の第１，第２，第３孔と、前記輪状ステータコアの各端面に別体又は一体に設けられると共に前記各突出磁極を覆うための輪状絶縁カバーと、前記輪状絶縁カバーの半径方向に沿って一体に延設された端子ピンコネクタ部と、前記輪状絶縁カバーの前記半径方向に沿って一体に形成された１個のアームと、前記アームに設けられた突起部と、を備え、前記取付用孔体を案内として、前記各コアピースを転積済の前記輪状ステータコアが形成され、前記取付用孔体の前記各孔の中央の１個の第２孔を用いてボルトにより前記輪状ステータコアを相手方に固定でき、前記ボルトを通すための前記各孔の中央の孔の隣りの第３孔に前記突起部が孔塞ぎ用として位置している構成及び方法としたことにより、レゾルバをモータ等の相手方へ取付ける時の作業者の孔の間違いをなくすことができ、ライン上での手戻しをなくすか少なくすることができ、生産性の向上を得ることができる。
また、前記第３孔内に位置する前記突起部は、前記輪状絶縁カバー及びアームの樹脂成形時に同時成形されている構成と方法により孔に埋める突起部の形成が容易となる。
また、前記端子ピンコネクタ部には、外部からのメス型コネクタ部が着脱自在に構成されていることにより、外部への信号の入出力が容易となる。
また、前記各突出磁極は前記輪状ステータコアの内周又は外周に設けられ、前記取付用孔体は前記輪状ステータコアの外周縁側又は内周縁側に設けられ、前記アームは前記輪状ステータコアの内周縁側から外周縁側へ向けて、又は、外周縁側から内周縁側へ向けて延設されていることにより、インナロータ型及びアウタロータ型の何れも用いることができる。
【図面の簡単な説明】
【０００８】
【図１】本発明によるレゾルバステータのボルト取付け間違い防止構造を示す正面図である。
【図２】図１のインナロータ型をアウタロータ型とした形態の要部の正面図である。
【図３】図１の平面図である。
【図４】図１の底面図である。
【図５】図１の右側面図である。
【図６】図１の左側面図である。
【図７】図１の背面図である。
【図８】図１の斜視図である。
【発明を実施するための形態】
【０００９】
本発明によるレゾルバステータのボルト取付け間違い防止構造及び方法は、転積後の輪状ステータコアを相手方にボルトで取付ける時、転積時に用いた取付用孔体の各孔のうち、間違って他の孔にボルトを挿入することのないようにすることである。
【実施例】
【００１０】
以下、図面と共に本発明によるレゾルバステータのボルト取付け間違い防止構造及び方法の好適な実施の形態について説明する。
図１において、符号１で示されるものは、図３から図６に示されているように、複数の輪状をなす薄型のコアピース２が転積によって積層され、所定の厚さＴを有する輪状ステータである。
前記輪状ステータコア１の内周３には、所定角度間隔毎に複数の突出磁極４が各々内方へ向けて一体に突出して形成されている。
【００１１】
前記輪状ステータコア１の内周縁側７Ａには、前述の各突出磁極４及び弧状をなし磁気抵抗としての複数の細孔部６が円周に沿って等間隔で形成され、前記輪状ステータコア１の外周縁側７には、その円周に沿って等間隔で複数の取付用孔体８が形成されている。
前記各取付用孔体８は、互いに連通する３個の第１，第２，第３孔９ａ，９ｂ，９ｃで構成され、前記３個の第１，第２，第３孔９ａ，９ｂ，９ｃのうち、中央に位置する１個の第２孔９ｂには、ボルト１０が挿入されて図示しない相手方（レゾルバ取付体、自動車、工作機等のレゾルバ取付部）に対して前記輪状ステータコア１を取付けることができるように構成されている。
【００１２】
前記輪状ステータコア１の各端面１ａ，１ｂには、樹脂成形によって一体又は別体として形成された輪状絶縁カバー１１が設けられ、前記輪状絶縁カバー１１は、前記各突出磁極４を覆うと共に、各突出磁極４の外側に輪状壁１２を一体に有している。
前記各端面１ａ，１ｂのうち、一方の端面１ａには、前記輪状絶縁カバー１１と一体で端子ピンコネクタ部１２Ａが設けられており、この端子ピンコネクタ部１２Ａのオス型コネクタ部１３には、メス型コネクタ部１４が着脱自在に設けられている。
【００１３】
前記各突出磁極４には、前記輪状絶縁カバー１１を介してステータ巻線１５が巻回され、このステータ巻線１５の図示しない端線は、周知のように、前記輪状壁１２の内側を渡り線として渡り、隣りの突出磁極４に巻回されるように構成されている。
【００１４】
次に、前記各突出磁極４にステータ巻線１５を巻回してロータ２０を内設できるようにした輪状ステータコア１を、例えば、図示しない自動車や工作機等の回転部材に設けるためのレゾルバ用ケースにボルト１０を用いて取付けける場合、図７及び図８で示されるように、本来は、取付用孔体８の各孔９ａ，９ｂ，９ｃのうち、中央の孔９ｂにボルト１０を挿入して次の工程に渡すのが正式であるが、作業者がうっかりすると、第２孔９ｂではなく、隣りの第３孔９ｃにボルト１０を挿入して次の作業者に渡し、渡された方の作業者は、ボルト４０を挿入するべき第２孔９ｂが間違っているとして元の作業者に戻すことになっていた。
そのため、本発明において、前記輪状絶縁カバー１１の輪状壁１２の部分に一体に成形されて設けられた板状のアーム２１は、図８で示されるように、その輪状絶縁カバー１１と一体成形され前記輪状ステータコア１の半径方向Ａに沿って１個のアーム２１が延設されている。
【００１５】
前記アーム２１の下部には、突起部２２が一体に突出して形成され、前記輪状ステータコア１に対して輪状絶縁カバー１１を一体成形した場合には、前記アーム２１の突起部２２が、３個の第１，第２，第３孔９ａ，９ｂ，９ｃのうち、端に位置する前記第３孔９ｃに挿入されることによって、前記第３孔９ｃは塞がれることになり、前記ボルト１０は、第１，第２，第３孔９ａ，９ｂ，９ｃのうちの中央に位置すると共に本来用いられていた第２孔９ｂに自然にボルト１０を挿入することができるようになる。
【００１６】
尚、前述の構成においては、ロータ２０を輪状ステータコア１の内側で回転するインナロータ型のレゾルバについて述べたが、図２で示すように、輪状ステータコア１の各突出磁極４の外側にロータ２０が位置したアウタロータ型のレゾルバとした場合も前述のインナロータ型のレゾルバと同様の作用効果を得ることができる。
【００１７】
従って、前記各突出磁極４は前記輪状ステータコア１の内周３又は外周３Ａに設けられ、前記取付用孔体８は前記輪状ステータコア１の外周縁側７又は内周縁側７Ａに設けられ、前記アーム２１は前記輪状ステータコア１の内周縁側７Ａから外周縁側７へ向けて、又は、外周縁側７から内周縁側７Ａへ向けて延設されている。
【００１８】
また、本発明によるレゾルバステータのボルト取付け間違い防止構造及び方法の要旨とするところは、次の通りである。
すなわち、複数枚のコアピース２が転積によって積層され、複数の突出磁極４を有する輪状ステータコア１と、前記輪状ステータコア１の所定角度間隔毎に形成された複数の取付用孔体８と、前記取付用孔体８に形成され互いに連通する３個の第１，第２，第３孔９ａ，９ｂ，９ｃと、前記輪状ステータコア１の各端面１ａ，１ｂに別体又は一体に設けられると共に前記各突出磁極４を覆うための輪状絶縁カバー１１と、前記輪状絶縁カバー１１の半径方向Ａに沿って一体に延設された端子ピンコネクタ部１２Ａと、前記輪状絶縁カバー１１の前記半径方向Ａに沿って一体に形成された１個のアーム２１と、前記アーム２１に設けられた突起部２２と、を備え、前記取付用孔体８を案内として、前記各コアピース２を転積済の前記輪状ステータコア１が形成され、前記取付用孔体８の前記各第１，第２，第３孔９ａ，９ｂ，９ｃの中央の１個の第２孔９ｂを用いてボルト１０により前記輪状ステータコア１を相手方に固定でき、前記ボルト１０を通すための前記第２孔９ｂの隣りの第３孔９ｃに前記突起部２２を孔塞ぎ用として位置している構成と方法であり、また、前記第３孔９ｃ内に位置する前記突起部２２は、前記輪状絶縁カバー１１及びアーム２１の樹脂成形時に同時成形されている構成と方法であり、また、前記端子ピンコネクタ部１２Ａには、外部からのメス型コネクタ部１４が着脱自在に設けられている構成と方法であり、また、前記各突出磁極４は前記輪状ステータコア１の内周３又は外周３Ａに設けられ、前記取付用孔体８は前記輪状ステータコア１の外周縁側７又は内周縁側７Ａに設けられ、前記アーム２１は前記輪状ステータコア１の内周縁側７Ａから外周縁側７へ向けて、又は、外周縁側７から内周縁側７Ａへ向けて延設されている構成と方法である。
【産業上の利用可能性】
【００１９】
本発明によるレゾルバステータのボルト取付け間違い防止構造及び方法は、レゾルバを相手方に取付ける際に用いる孔の隣りの孔を、輪状絶縁カバーを形成する時に成形された突起部によって塞ぐことにより、孔を間違えることなくボルト止めすることができ、組立て効率を向上させることができる。
【符号の説明】
【００２０】
１    輪状ステータコア
１ａ，１ｂ    端面
２    コアピース
３    内周
３Ａ    外周
４    突出磁極
６    細孔部
７    外周縁側
７Ａ    内周縁側
８    取付用孔体
９ａ，９ｂ，９ｃ    第１，第２，第３孔
１０    ボルト
１１    輪状絶縁カバー
１２    輪状壁
１２Ａ    端子ピンコネクタ部
１３    オス型コネクタ部
１４    メス型コネクタ部
２０    ロータ
２１    アーム
２２    突起部
Ｔ    厚さ
【図１】
0006713094.tif 000002
【図２】
0006713094.tif 000003
【図３】
0006713094.tif 000004
【図４】
0006713094.tif 000005
【図５】
0006713094.tif 000006
【図６】
0006713094.tif 000007
【図７】
0006713094.tif 000008
【図８】
0006713094.tif 000009